(57)【要約】【課題】  無風時の競技会会場における掲揚旗、あるいは、競技大会室内表彰の複数旗並列掲揚旗などは、旗になびかせが無いので、無味乾燥である。又、わが国では、国旗掲揚に対する反対運動が続いた歴史背景から、国旗に対する意識レベルが低いものとなっている。【解決手段】  前記課題解決手段として、旗になびかせの動きを与える装置を提供する。すなわち、旗のなびかせの視覚刺激から、動機づけられ、勝者の努力などに感動し、属するグループの存在意義や社会的役割等の意識レベルが向上する。なびかせ装置は、旗の左辺側から、旗の表裏に向けた吐出管を備え、この吐出管から送風を吹きつける。吐出管は、曲げ自在な機能を有するので、適確な方向と距離を設定し、良好ななびかせを得ることができる。【選択図】図１
2014228860.tif 000002
【特許請求の範囲】
【請求項１】
単数旗抱括形態のなびかせ法であって、抱括形態のなびかせ装置は、送風管下方に送風器を接合、上方に吊環を遊嵌した横枠を接合、管央には、旗表裏に向け、かつ曲げ自在な吐出管を周着する他、複数の抱輪付金具を付装したものとし、旗掲揚は、旗取付後、抱輪付金具の抱輪を掲揚ポールに抱着し、送風器を起動、掲揚ポール上方の、滑車付リングの滑車を介したロープ操作にて、掲揚することを特徴とする、掲揚旗なびかせ法。
【請求項２】
単数旗管柱形態のなびかせ法であって、管柱形態の掲揚ポールを送風管に兼ね、該送風管下方部に送風器を周着、上方部は、下方部から延長した送風管を内管とし、該内管に嵌合する外管は、内管に周着の支皿上で水平回転可能に装着、両管嵌合部分を二重管部と称し、二重管部内管管央には、格子状開口を設け、二重管部外管管央の開口合致位置に、旗表裏に向け、かつ曲げ自在な吐出管を周着、二重管部下方にはストッパーを装着、二重管部延長の上方には旗と滑車具を装着し、管柱形態のなびかせ装置となし、旗掲揚は、送風器を起動、旗左辺の上下をロープに取付け、滑車を介したロープ操作にて、掲揚することを特徴とする、掲揚旗なびかせ法。
【請求項３】
複数旗一括枠組形態のなびかせ法であって、旗取付枠は、縦枠と横枠からなり、各旗の取付枠が同一面となるよう接合、横枠は吊環を遊嵌する、そして通し送風管は、管端を閉塞し管央に送風器を周着する他、各旗の左辺側から、旗表裏に向け、かつ曲げ自在な吐出管を周着し、該取付枠に通し送風管と補強材を組付け、一括枠組形態のなびかせ装置となし、掲揚は、旗取付後送風器を起動、一括枠組形態のなびかせ装置を、吊り揚げることを特徴とする、掲揚旗なびかせ法。
【発明の詳細な説明】
【０００１】  本発明は、掲揚旗をなびかせる方法に関する。
【０００２】
【発明の概要】
【発明が解決しようとする課題】
【０００３】  わが国では、日章旗掲揚について敬意を払うなどの意識が低い。これを考察すれば、戦後から１９９９年の間における、日の丸旗掲揚の反対運動がうきぼりになる。反対運動側は日本教職員組合等で、それを管理する側との間にトラブルが頻発、中には自殺者がでる例もあった。これに対処するため、１９９９年に国旗及び国歌に関する法律が公布され、日の丸が正式に国旗と定められたのである。反対者が行ってきた長期の歴史背景から、その影響は簡単に変るものではなく、国家や地域グループに対する忠誠や敬意などの意識は、低いと考えられる。【０００４】  意識を高レベルに改善するには、存在意義や社会的役割等の教育が必要であるが、これには言及せず、本発明については、旗に限定した改善とする。すなわち、旗になびかせの動機を与え、視覚刺激から、存在意義や社会的役割の意識水準を、高める発想である。【０００５】  掲揚旗の課題を、国体競技について考察してみよう。無風時に並列する県旗は、軒並み垂れ下がり識別ができない。又、競技優勝者・準優勝者等表彰時の室内掲揚旗は、掲揚するだけで、旗面の動きは皆無である。これらを改善するには、旗になびかせの動きを与えることが有効である。つまり、旗のなびかせに動機づけられ感動し、意識水準を高めるのである。そして、旗を所有するなど、変革するような人達が多くなれば、更なる効果も得られると思慮される。【０００６】  本発明は、このような課題を解決しようとするものであり、掲揚旗なびかせ法を提供することを、目的とするものである。
【課題を解決するための手段】
【０００７】  始めに、本発明の手段に関る、用語の意義について説明する。【０００８】  （１）「吐出管」    吐出管とは、手段（１）、（２）、（３）に共通し、旗表裏に向けかつ曲げ自在な、鋼、あるいはステンレス、プラスチック製の、旗面吹き付け用の管である。旗表裏に向けとは、表面吹き付け用管と、裏面吹き付け用管を設けることである。曲げ自在とは、管央が曲げ自在な機能を有する管のことで、例えば水道の蛇口に用いるラセンパイプのことである。このような管を用いることにより、送風を適確な方向と距離にコントロールする。【０００９】  （２）「送風器」    送風器とは、本発明においては、空気を送風管から吐出管を経て、旗面に吐出さす電動機である。送風器使用条件としては、サージング領域でなく、小騒音にとどまるものとなるが、本発明においては、これらを限定しないものとする。【００１０】  （３）「旗取付」    旗取付とは、手段（１）においては、旗左辺はなびかせ装置上下に外嵌した旗取付具に、上辺は横枠に外在する吊環に、手段（２）においては、ロープに、手段（３）においては、縦枠に外嵌した旗取付具と横枠に緩嵌した吊環に、それぞれフックやスイブルを介し取付けることをいう。取付方法は、いろいろあるので、本発明においては、この取付方法に限定するものでなく、安全に取付けられるものは使用可能である。【００１１】  前記目的を達成するために、本発明は、（１）、（２）（３）の手段からなる。【００１２】  手段（１）  単数旗抱括形態のなびかせ法であって、抱括形態のなびかせ装置は、送風管下方に送風器を接合、上方に吊環を遊嵌した横枠を接合、管央には、旗表裏に向け、かつ曲げ自在な吐出管を周着する他、複数の抱輪付金具を付装したものとし、旗掲揚は、旗取付後、抱輪付金具の抱輪を掲揚ポールに抱着し、送風器を起動、掲揚ポール上方の、滑車付リングの滑車を介したロープ操作にて、掲揚ポールに沿って掲揚する。【００１３】  手段（１）によれば、吊環を外在する横枠を接合しているので、旗の垂れ下りを防止するよう作用する。またこの作用は、送風器容量の縮小にも資するものとなる。（本事項は、手段（３）に共通する。）【００１４】  手段（１）によれば、旗表裏へ送風可能にして曲げ自在な吐出管を接合しているので、適確な方向と距離を設定送風することができ、したがって、良好ななびかせを得ることができる。（本項は手段（２）、（３）に共通する。）【００１５】  手段（１）によれば、なびかせ装置と掲揚ポールとは、抱輪付金具によって、隙間を有する形態で接続されている。したがって、掲揚ポールに沿って掲揚するよう作用する。又、強風時でも、なびかせ装置と掲揚ポールは、衝突をさけるよう作用する。更になびかせ装置は回転自在な滑車に吊り下げられた形態なので、旗が掲揚ポールに巻きつくことを防ぐよう作用する。【００１６】  手段（２）  単数旗管柱形態のなびかせ法であって、掲揚ポールは下方部と上方部からなり、下方部は送風管を兼ねる。そしてその送風管に送風器を周着する。一方上方部は、下方から延長した送風管を内管とし、その内管に嵌合する外管は、内管に周着の支皿上で水平回転可能に装着、その内管外管の接する部分を二重管部とし、二重管部内管は管頂を閉塞、管央には格子状開口を設け、二重管部外管は、内管開口合致位置に、旗表裏に向けかつ曲げ自在な吐出管を周着、二重管部下方にはストッパーを装着、二重管部延長の上方には旗頭と滑車具を装着し、管柱形態のなびかせ装置となし、旗掲揚は、送風器を起動、旗左辺の上下をロープに取付け、滑車を介したロープ操作にて掲揚する。【００１７】  手段（２）によれば、二重管部において、外管は水平回転可能に外装されている。したがって、旗が掲揚ポールに巻きつくことを防ぐよう作用する。又、送風器接合高さが、人体の目線ほどとなるので、その操作が容易である。又、掲揚ポールが送風管を兼ねるので、外観は自然かつスマートである。【００１８】  手段（３）  複数旗一括枠組形態のなびかせ法であって、旗取付枠は、縦枠と横枠からなり、各旗の取付枠が同一面となるよう接合、横枠は吊環を遊嵌する。そして通し送風管は、管端を閉塞し管央に送風器を周着する他、各旗の左辺側から、旗表裏に向け、かつ曲げ自在な吐出管を周着し、該取付枠に通し送風管と補強材を組付け、一括枠組形態のなびかせ装置となし、掲揚は、旗取付後送風器を起動、一括枠組形態のなびかせ装置を、吊り揚げる。【００１９】  手段（３）の掲揚法による場合、旗取付枠を送風管で兼ねることが可能である。この場合は、吐出管位置を自由に選択できるので、吐出管形状は、スマートかつ簡易なものとなり、送風損失が少ないように作用する。
【発明の効果】  本発明は、掲揚旗なびかせ法を用い、次の効果を奏する。始めに共通する効果を述べる。【００２０】  （１）競技大会の無風時には、掲揚旗が垂れ下り識別できない。又、競技の優勝者・準優勝者等の室内表彰式においても、旗がなびくことはない。本発明はすべての手段で、旗をなびかせるので、それに動機づけられ優勝者にあるいはそのグループに感動し、忠誠や敬意などの意識が向上すると考えられる。そして、自ら旗を所有するなど変革するような人達が多くなれば、存在意義や社会的役割等の意識向上にも、寄与するものとなる。【００２１】  （２）各手段共旗なびかせは、曲げ自在な機能を有する吐出管を用いて適確な方向と距離を設定し送風するので、良好な旗のなびかせを得ることができる。【００２２】  手段（１）、（３）の旗取付は、側方の旗付具に繋ぐ他、横枠軸方向に移動可能な吊環に旗上辺を複数ヶ所繋ぐ構成なので、旗の垂れ下がりを防止する効果がある。【００２３】  手段（１）の送風管や送風器を接合したなびかせ装置は、抱輪付金具によって、定間隔を保てるので、相互の衝突を防止する効果がある。又、回転自在な滑車付リングを備えることにより、旗が掲揚ポールに巻き付くことを防止する効果がある。【００２４】  手段（２）のなびかせ装置は、二重管部の外管が、旗と共に水平回転可能な構成である。したがって、旗が掲揚ポールに巻き付くことを、防止する効果がある。又、送風器設置高さが、人体の目線範囲に選定できるので、操作が容易である。【００２５】  手段（２）の送風管は、掲揚ポールなので、外観は自然かつスマートである。【００２６】  手段（３）の掲揚法によれば、複数旗段差掲揚を同時に行うものであるが、表向き吐出管と裏向き吐出管を用い、吐出方向と距離をコントロールし、各旗が異なる形態のなびかせを、得ることもできる。【００２７】  手段（３）の掲揚法によれば、旗取付枠は、送風管で兼ねることが可能である。これを用いれば、送風管から吐出管に分岐する位置を自由に選択できるので、吐出管形状はスマートかつ簡易なものとなる。一方、取付枠を送風管で兼ねないものは、送風管長が短長となり、費用低減に資するものとなる。
【図面の簡単な説明】
【００２８】
【図１】実施形態（１）の単数旗なびかせ法、正面図
【図２】図１のＡ−Ａ横断面図
【図３】図１のＢ−Ｂ横断面図
【図４】実施形態（２）の単数旗なびかせ法、正面図
【図５】実施形態（２）のなびかせ装置部、縦断面図
【図６】図５のＣ−Ｃ拡大横断面図
【図７】図６のＤ−Ｄ横断面図
【図８】図５のＥ−Ｅ横断面図
【図９】実施形態（３）の複数旗なびかせ法、正面図
【図１０】図９の送風管・旗枠及び補強材組付、正面図
【図１１】実施形態（３）の送風管及び吐出管、平面図
【図１２】実施形態（３）の旗枠を送風管で兼ねる形態の正面図
【図１３】図１２の送風管及び補強材組付、正面図
【発明を実施するための形態】
【００２９】  以下に、本発明の実施の形態を図を用い説明する。
【００３０】  実施形態（１）  形態（１）は、単数旗抱括形態のなびかせ法である。なびかせ装置の抱括形態にするものは、送風管Ｃ、送風器Ｂ、吐出管３及びその付装具で、旗掲揚は、旗取付後、抱輪付金具１１で掲揚ポールＤに抱着し、送風器Ｂを起動、滑車を経たロープ操作にて、掲揚ポールＤに沿って、掲揚する。
【００３１】  図１は、実施形態（１）の単数旗なびかせ法、正面図である。図２は、図１のＡ−Ａ横断面図、図３は、図１のＢ−Ｂ横断面図である。
【００３２】  なびかせ装置は、図１に示すように旗左辺先位置に、送風器Ｂを接合した送風管Ｃを設け、その送風管Ｃ管央に、旗表裏に向けかつ曲げ自在な吐出管３を周着する他、複数の抱輪付金具１１を付装し、旗上辺位置先には、吊環６を遊嵌した横枠４を、送風管Ｃ管頂閉塞部に接合する。一方掲揚ポールＤ上方には、旗頭１と滑車付リング１０を装着する他、下方にはロープ止具７を周着する。
【００３３】  抱輪付金具１１の付装は、あらかじめ送風管Ｃにボルトナットで行い、後から図２に示すように抱着する。滑車付リング１０は、図３に示すように、掲揚ポールＤである内管１４に頭部外管２２が水平回転可能に外嵌され、その頭部外管２２に滑車具２５が接合されたものである。そして滑車リング１０装着は、図１に示すように、頭部外管２２を内管１４外面に接合された支皿１６と外管止３１により、軸方向移動を拘束するよう装着される。
【００３４】旗Ａ表裏に吹き付ける吐出管３は、曲げ自在な機能を有し、適確な方向と距離を設定送風するので、良好な旗のなびかせを得ることができる。（本事項は全実施形態に共通する）
【００３５】  旗Ａ取付は、側方の旗取付具５に繋ぐ他、横枠４軸方向に移動可能な吊環６に、旗Ａ上辺を繋ぎとめる。この構成により、旗の垂れ下りを防止するよう作用する。（本事項は、実施形態（３）に共通する。）
【００３６】  手段（１）の送風管Ｃや送風器Ｂを接合したなびかせ装置は、抱輪付金具１１によって定間隔を保てるので、相互の衝突を防止する効果がある。又、滑車付リングは、水平回転可能に装着されているので、旗が掲揚ポールに巻付くことを防ぐよう作用する。又、内管に接合された支皿１６と外管止３１により、滑車付リング１０の抜け出しを防止するよう作用する。
【００３７】  実施形態（２）  形態（２）は、単数旗管柱形態のなびかせ法である。管柱形態のなびかせ装置とは、掲揚ポールＤの下方に送風器Ｂを周着、掲揚ポールＤは送風管Ｃを兼ね、上方部に吐出管３及び付装具を備え、旗掲揚は、送風器を起動、旗左辺の上下をロープＥに繋ぎ、滑車を経たロープＥ操作で掲揚する。
【００３８】  図４は、実施形態（２）の単数旗なびかせ法、正面図である。図５は、実施形態（２）のなびかせ装置部、縦断面図である。図６は、図５のＣ−Ｃ拡大横断面図、図７は、図６のＤ−Ｄ横断面図、図８は、図５のＥ−Ｅ横断面図である。
【００３９】  掲揚ポールＤは、下方部２３と上方部２８からなり、下方部２３は送風管Ｃを兼ね、その送風管Ｃに送風器Ｂを周着、上方部２８は、図５に示すように下方部２３から延長した送風管Ｃを内管１４とし、その内管１４に嵌合する外管１５は、内管１４に周着の支皿１６上で水平回転可能に装着、その内管１４、外管１５の接する部分を二重管部１９とし、二重管部１９内管１４は、管頂を閉塞、管央には格子状開口２７を設け、二重管部１９外管１５は、内管開口２７合致位置に、旗Ａ表裏に向けかつ曲げ自在な吐出管３を周着、二重管部１９下方には、ストッパー２０を装着、二重管部延長の上方には旗頭Ａと滑車具２５を装着し、管柱形態のなびかせ装置とする。
【００４０】  二重管部１９内管１４は、格子状開口２７を設けたことにより、管強度の低下をまねく、これに対処するため、図５、図６に示すように、内面管軸方向に内管補強材１３を接合する。
【００４１】  二重管部１９下方のストッパー２０は、図８、図５に示すように、外管１５に周着された複数のストッパー２０と支皿１６下面にあてがわれたストッパー盤３０とで、弛緩止めされる。
【００４２】  なお、外管１５最下端と支皿１６は摩りあうことになるので、摩擦軽減策として、支皿１６受部に鋼小球を設けることも考えられる。
【００４３】  形態（２）によれば、二重管１９外管１５は水平回転可能に装着されている。したがって旗が掲揚ポールＤに巻きつくことを防ぐよう作用する。又、二重管部１９下方にストッパーを装着しているので、二重管部１９外管１５などの抜け出しを防ぐよう作用する。
【００４４】  又、送風器Ｂの周着高さは、人体の目線ほどに選定できるので、掲揚操作が容易である。又、掲揚ポールＤが送風管Ｃを兼ねる形態なので、外管は自然かつスマートである。
【００４５】  実施形態（３）  形態（３）は、複数旗一括枠組形態のなびかせ法である。一括枠組形態のなびかせ法とは、縦枠２と横枠４からなる旗Ａ取付枠を接合、これに吐出管３周着の送風管Ｃと補強材１８を組み付け、一括枠組とし、掲揚は、旗Ａ取付後送風器Ｂを起動、一括枠組みのなびかせ装置を吊り揚げる。
【００４６】  図９は、実施形態（３）の複数旗なびかせ法、正面図。図１０は、図９の送風管・旗枠及び補強材組付、正面図。図１１は、実施形態（３）の送風管及び吐出管、平面図。図１２は、実施形態（３）の旗枠を送風管で兼ねる形態の正面図。図１３は、図１２の送風管及び補強材組付、正面図である。
【００４７】  各旗取付枠は、縦枠２と、横枠４からなり、取付枠全てが同一面となるよう接合、その横枠は吊環６を遊嵌したものとし、送風装置は、端部閉塞の送風管Ｃ管央に送風器Ｂを接合する他、各旗Ａ共左辺側から旗表裏に向け、かつ曲げ自在な吐出管３を周着、通し送風管となし、該取付枠に通し送風管と補強材１８を組付け、一括枠組みのなびかせ装置とする。
【００４８】  送風管Ｃは、旗Ａ取付枠を兼ねる形態のものと、兼ねることなく、送風管Ｃと旗Ａ取付枠を別々にする形態のものがある。図９図１０は、別々にする形態のもので、図１０に示すように、縦枠２と横枠４が全て同一面となるよう接合、該取付枠に通し送風管と補強材１８を組付ける。組付は自在バンドを用いると容易である。通し送風管は、図１１に示すように、各旗Ａ共、旗の左辺側から旗Ａ表裏に向け、かつ曲げ自在な吐出管３を周着する。旗Ａ表裏に向けとは、一方の吐出管３は表面に向け、他方の吐出管３は裏面に向けていることをいう。
【００４９】  図１２、図１３は、旗Ａ取付枠を兼ねる形態のもので、取付枠は、図１３に示すように、縦枠２と横枠４が同一面となるよう接合、該取付枠が通し送風管を兼ね、これに補強材１８を組付ける。そして、各旗Ａ共、旗Ａの左辺側である縦枠２から旗Ａ表裏に向け、かつ曲げ自在な吐出管３を周着する。
【００５０】  形態（３）によれば、各旗Ａのなびかせをそれぞれ異なるものを望む場合、吐出管３の方向と距離で操作できるので、この操作により望むなびかせを得ることができる。
【００５１】  形態（３）による掲揚法の場合、旗取付枠を送風管Ｃで兼ねる形態のものがある。この場合は、取付枠の縦枠２に吐出管３を周着する構成なので、吐出管３形状は、スマートかつ簡易なものとなる。これに起因し送風損失が少ないように作用する。
【００５２】  旗Ａ上辺は、横枠４に外材する吊環へ繋ぎとめる。この構成によって、旗Ａの垂れ下りを防ぐよう作用する。このことに起因して、送風器Ｂ容量の縮小化に資するものとなる。
【符号の説明】
【００５３】Ａ    旗
Ｂ    送風器
Ｃ    送風管
Ｄ    掲揚ポール
Ｅ    ロープ
１    旗頭
２    縦枠
３    吐出管
４    横枠
６    吊環
１４  内管
１５  外管
１８  補強材
１９  二重管部
【図１】
2014228860.tif 000003
【図２】
2014228860.tif 000004
【図３】
2014228860.tif 000005
【図４】
2014228860.tif 000006
【図５】
2014228860.tif 000007
【図６】
2014228860.tif 000008
【図７】
2014228860.tif 000009
【図８】
2014228860.tif 000010
【図９】
2014228860.tif 000011
【図１０】
2014228860.tif 000012
【図１１】
2014228860.tif 000013
【図１２】
2014228860.tif 000014
【図１３】
2014228860.tif 000015